(57)【要約】【課題】迅速かつ簡単に構築及び解体することが可能で、かつ、動線を十分に確保することが可能な階段室作業用仮設足場を提供する。【解決手段】本発明に係る階段室作業用仮設足場１は、建設中の階段室１Ａ内に構築される階段室作業用仮設足場であって、折り返し階段２における上下の階段部分２ａ，２ｂの各中央側のササラ３，３の間を上下方向に通過するよう互いに所定の間隔を隔てて設けられてそれぞれ連結部材４によりササラ３に連結された複数の支柱５と、各支柱から階段裏に対向するように設けられた作業床支持材（ブラケット６）と、隣り合う各支柱に設けられた各作業床支持材間に跨るように各作業床支持材に取付けられた作業床７とを備えた。【選択図】図１
2018168663.tif 000002
【特許請求の範囲】
【請求項１】
建設中の階段室内に構築される階段室作業用仮設足場であって、
折り返し階段における上下の階段部分の各中央側のササラの間を上下方向に通過するよう互いに所定の間隔を隔てて設けられてそれぞれ連結部材によりササラに連結された複数の支柱と、
各支柱から階段裏に対向するように設けられた作業床支持材と、
隣り合う各支柱に設けられた各作業床支持材間に跨るように各作業床支持材に取付けられた作業床とを備えたことを特徴とする階段室作業用仮設足場。
【請求項２】
支柱の上下方向で隣り合うように設けられた各作業床支持材が、支柱から互いに反対方向に延長して各階段部分の階段裏面と対向するように設けられたことを特徴とする請求項１に記載の階段室作業用仮設足場。
【請求項３】
作業床と作業対象の壁面とが離間するように作業床が設置されたことを特徴とする請求項１又は請求項２に記載の階段室作業用仮設足場。
【請求項４】
隣り合う各支柱に設けられた各作業床支持材間に跨る作業床が水平面に形成されたことを特徴とする請求項１乃至請求項３のいずれか一項に記載の階段室作業用仮設足場。
【発明の詳細な説明】
【技術分野】
【０００１】
本発明は、階段裏の塗装作業等の内装工事を行うための階段室作業用仮設足場に関する。
【背景技術】
【０００２】
従来、階段裏の塗装作業等を行うための階段室作業用仮設足場は、通常の足場を組んでいたため、階段上の通路が狭くなってしまい、動線（作業員が行き交う階段上の経路）が確保されない。そこで、階段室の壁に複数の雌ねじ付きインサート金物を埋設し、このインサート金物を利用することにより、動線を確保できるように構成された階段室作業用仮設足場が知られている（例えば、特許文献１等参照）。
【先行技術文献】
【特許文献】
【０００３】
【特許文献１】特開平７−３１７３０３号公報
【発明の概要】
【発明が解決しようとする課題】
【０００４】
しかしながら、特許文献１に開示された仮設足場では、壁の所定位置に複数の雌ねじ付きインサート金物を埋設しなければならないため、壁にインサート金物を埋設するための孔を形成する作業が必要となり、足場構築のための作業手間や作業工数が多くなるので、階段裏の塗装作業等の内装工事を行うための階段室作業用仮設足場を、迅速かつ簡単に構築及び解体することができないという課題がある。
本発明は、迅速かつ簡単に構築及び解体することが可能で、かつ、動線を十分に確保することが可能な階段室作業用仮設足場を提供するものである。
【課題を解決するための手段】
【０００５】
本発明に係る階段室作業用仮設足場は、建設中の階段室内に構築される階段室作業用仮設足場であって、折り返し階段における上下の階段部分の各中央側のササラの間を上下方向に通過するよう互いに所定の間隔を隔てて設けられてそれぞれ連結部材によりササラに連結された複数の支柱と、各支柱から階段裏に対向するように設けられた作業床支持材と、隣り合う各支柱に設けられた各作業床支持材間に跨るように各作業床支持材に取付けられた作業床とを備えたことを特徴とするので、迅速かつ簡単に構築及び解体することが可能で、かつ、動線を十分に確保することが可能な階段室作業用仮設足場となる。
また、支柱の上下方向で隣り合うように設けられた各作業床支持材が、支柱から互いに反対方向に延長して各階段部分の階段裏面と対向するように設けられたので、支柱に互いに反対方向からの荷重が加わるようになり、支柱にバランス良く作業床及び作業床支持材の荷重が加わるようになり、安定な作業床を形成できるようになる。
また、作業床と作業対象の壁面とが離間するように作業床が設置されたので、作業床上に載って行う壁面に対する内装工事も容易に行えるようになる。
また、隣り合う各支柱に設けられた各作業床支持材間に跨る作業床が水平面に形成されたので、作業床上に載って行う階段裏や壁面に対する内装工事を安全かつ容易に行えるようになる。
【図面の簡単な説明】
【０００６】
【図１】階段室作業用仮設足場を横から見た図。
【図２】階段室作業用仮設足場を上方から見た斜視図。
【図３】階段室作業用仮設足場を横から見た斜視図。
【図４】階段室作業用仮設足場を上方から見た図。
【図５】支柱とササラとが連結部材により連結された状態を示す図。
【図６】支柱の上下方向で隣り合うように設けられた各ブラケットの関係を示す図。
【発明を実施するための形態】
【０００７】
図１乃至図３に示すように、実施形態に係る建設中の階段室１Ａ内に構築される階段室作業用仮設足場１は、折り返し階段２を構成する上下の階段部分２ａ，２ｂの各中央側のササラ３，３の間を上下方向に通過するように所定の間隔Ｘを隔てて設けられて、それぞれ連結部材４によりササラ３に着脱可能に連結される複数の支柱５，５…と、各支柱５，５…から階段部分２ａ，２ｂの階段裏に対向するように着脱可能に取付けられた作業床支持材としてのブラケット６と、隣り合う各支柱５，５に設けられた各ブラケット６，６間に跨るように各ブラケット６，６に取付けられた作業床７とを備えた構成である。
尚、所定の間隔Ｘとは、上下の踊り場１１，１１間においていずれか一方の踊り場１１から他方の踊り場１１に向かう水平方向に沿った間隔のことである。
【０００８】
折り返し階段２は、例えば、鉄骨製の折り返し階段である。上下の階段部分２ａ，２ｂは、階段部分２ａが一方方向上方に傾斜するように延長する階段部分、階段部分２ｂが一方方向とは反対側である他方方向上方に傾斜するように延長する階段部分である。
【０００９】
階段室作業用仮設足場１は、折り返し階段２の裏に、塗装を施したり、内装ボードを取付けたり（軽天材を組んで軽量ボードを取付ける）等の内装工事を行うための足場である。
【００１０】
支柱５は、数ｍ（例えば４ｍ）毎に上方に継ぎ足すように連結して、階段室１Ａ内の折り返し階段２の全高に亘って、上下の階段部分２ａ，２ｂの各中央側のササラ３，３の間の空間を上下方向に延長するように建てられる。
【００１１】
連結部材４としては、図５に示すように、例えば最大耐荷重２トンのキャッチクランプと呼ばれる連結部材を用いる。
【００１２】
ブラケット６は、例えば図６に示すように、連結具６Ａを用いて支柱５に連結される。図１において左右に隣り合う各ブラケット６，６に取付けられた作業床７は、階段部分２ａ，２ｂの裏面に対向して水平面を形成するように設けられ、第１の支柱５とこの第１の支柱５に隣り合うように設けられた第２の支柱５との間に設けられた作業床７と、第２の支柱５とこの第２の支柱５に隣り合うように設けられた第３の支柱５との間に設けられた作業床７とが、図１に示すように、上下に段差を有するように設けられる。即ち、隣り合う作業床７，７…上の作業面が段々畑の各面のように形成される。作業床７は、例えば図６に示すように、端部に設けられた係合爪７ａ，７ａ…をブラケット６の支持軸６Ｂに係合させることで、ブラケット６に取付けられる。
【００１３】
図４に示すように、支柱５が連結部材４により連結されるササラ３は、上下の階段部分２ａ，２ｂの壁面１０側とは反対側である中央側のササラ３，３である。
【００１４】
図１に示すように、支柱５は、上下の踊り場１１，１１間の階段部分２ａ又は階段部分２ｂにおいて、所定の間隔Ｘを隔てて例えば４本立設される。
【００１５】
尚、図１乃至図４に示すように、踊り場１１には、階段室１Ａ内の折り返し階段２の全高に亘って通される支柱５とは別に、踊り場専用の支柱５０が設けられる。そして、踊り場１１に近い位置の支柱５に設けられたブラケット６と踊り場専用の支柱５０に設けられたブラケット６との間に踊り場１１の裏側（下面）と平行に対向する作業床７０が設けられる。
【００１６】
また、図１において、１２は例えば地下１階フロアへの出入口、１３は地上一階フロアへの出入口である。
【００１７】
また、図６に示すように、各支柱５，５…の上下方向で隣り合うように設けられた各ブラケット６，６は、支柱５から互いに反対方向に延長して上下の各階段部分２ａ，２ｂの裏面と対向するように設けられている。
【００１８】
また、作業床７，７０は、壁面１０から離れるように設置される。
【００１９】
実施形態に係る階段室作業用仮設足場１の構築手順について説明する。
まず、上の階段部分の壁側とは反対側に設けられるササラ３と下の階段部分の壁側とは反対側に設けられるササラ３との間の空間において上下方向に延長するように支柱５を設ける。当該支柱５は、例えば所定の長さの単管ポールを順次上方に継ぎ足して、折り返し階段２の最下部から最上部まで延長するように設ける。また、上下方向に延長する支柱５は、下階の踊り場１１と上階の踊り場１１との間において、所定の間隔Ｘを隔てて複数本配置する。この下階の踊り場１１と上階の踊り場１１との間において、所定の間隔Ｘを隔てて複数本配置された上下方向に延長する各支柱５，５…を連結部材４を用いてササラ３に連結する。
次に各支柱５，５…にブラケット６を設け、隣り合う各支柱５，５に同一水平面上に位置されるように設けられた一対のブラケット６，６間に跨るように作業床７を設け、折り返し階段２の裏面に対向して、水平な段差面を形成するように隣り合う作業床７，７を設置する。各踊り場１１に専用の支柱５０を設け、踊り場１１に近い位置の支柱５に設けられたブラケット６と踊り場専用の支柱５０に設けられたブラケット６との間に作業床７０を設置する。
【００２０】
実施形態に係る階段室作業用仮設足場１によれば、支柱５をササラ３に連結し、隣り合う支柱５，５に設けられたブラケット６，６間に作業床７を設置するだけよいので、迅速かつ簡単に構築及び解体することが可能である。
また、従来の階段室作業用仮設足場のように、階段上に足場の脚部が設置されることがなく、階段上に障害物がなくなるため、動線を十分に確保することができるようになり、安全な施工現場環境を提供できるようになる。
【００２１】
また、支柱５の上下方向で隣り合うように設けられた各ブラケット６，６は、支柱５から互いに反対方向に延長するように設けられているので、支柱５に互いに反対方向からの荷重が加わる。すなわち、支柱５にバランス良く作業床７及びブラケット６の荷重が加わるようになり、安定な作業床７を形成できるようになる。
【００２２】
また、作業床７，７０と作業対象の壁面１０とが離間するように作業床７，７０が設置された構成としたので、作業床７，７０上に載って行う壁面１０に対する内装工事も容易かつ安全に行えるようになる。
【００２３】
また、隣り合う各支柱５，５に設けられた各ブラケット６，６間に跨る作業床７が水平面に形成されているので、作業床７上に載って行う折り返し階段２の裏面又は壁面１０に対する塗装や化粧材の取付け作業等の内装工事を安全かつ容易に行えるようになる。
【００２４】
また、水平な段差面を形成するように隣り合う作業床７，７が階段状に設けられているので、各作業床７に載って行う、高さの異なる折り返し階段２の裏の段差面の塗装や化粧材の取付け作業等の内装工事も安全かつ容易に行えるようになる。
【００２５】
尚、特許文献１に開示された階段室作業用仮設足場では、壁の所定位置に複数の雌ねじ付きインサート金物を埋設しなければならないため、当該足場を用いた壁面仕上げ作業において当該インサート金物が埋設された部分の仕上げ作業を行うことができなくなる。このため、足場を解体した後に、プラグで当該インサート金物を覆い隠さなければならなくなり、当該壁面における当該インサート金物の部分と他の部分とが異なる仕上げ状態となってしまうという問題もある。
一方、実施形態では、支柱５とササラ３とを連結するだけで、壁面１０に加工を行うことはないので、壁面１０の仕上げ作業を容易かつ綺麗に行えるようになる。
【００２６】
また、特許文献１に開示された階段室作業用仮設足場では、足場板が斜めに設置されるため、実施形態のように作業床７を水平に設置する構成と比べて、足場板上に載って行う作業が困難、かつ、安全性に欠けるという問題もある。
【００２７】
尚、本発明においては、支柱５は、少なくとも２本以上設ければよい。下の踊り場１１に近い位置と上の踊り場１１に近い位置とに１本ずつ、合計２本の支柱５，５を設けた場合は、これら支柱５，５で隣り合うブラケット６，６を段差状に設け、作業床７を階段部分２ａ，２ｂの傾斜に対応して斜めに設置してもよい。
また、本発明の階段室作業用仮設足場の構成は、エスカレータの足場としても利用可能である。
【符号の説明】
【００２８】
１  階段室作業用仮設足場，１Ａ  階段室、２  折り返し階段、
２ａ，２ｂ  階段部分、３  ササラ、４  連結部材、５  支柱、
６  ブラケット（作業床支持材）、７  作業床、１０  壁面。
【図１】
2018168663.tif 000003
【図２】
2018168663.tif 000004
【図３】
2018168663.tif 000005
【図４】
2018168663.tif 000006
【図５】
2018168663.tif 000007
【図６】
2018168663.tif 000008